(57)【要約】 本発明は、カメラの三角台用ボールヘッドに関するものであり、特に、ボールヘッドの前後と左右への移動を機械的な操作によって微細に調整が可能にさせたものである。現在使用されるボールヘッドは、ボールを使って三角台に装着することでボールヘッドを固定する加圧を解除して手で操作によって前後左右の多方向に自由に調節するようにした後ボール固定取っ手を締めるようにすることで、加圧してボールを支えている下部プレートがボールを締めるようにすることで固定するようにしているものである。しかし、このようなことの短所は、撮影角度が手を使って１次に調整された状態で特に、重量が大きい望遠レンズをつけて再び２次または３次に繰り返して微細な前後への移動が要求される場合には再びボール固定取っ手を解いて加圧を解除するようにした後願う程度のみを手を使って微細に調節しなければならないが、このような場合に望遠レンズの多くの荷重によって正確で願う角度への調整が不可能であるというものである。したがって、本発明ではこのような場合に機械的な操作によって２次、３次繰り返して調節角度を調節するようにしたものである。【選択図】なし
2012502312.tif 000002
【特許請求の範囲】
【請求項１】
ボールの上部に脱着自在に装着されるカメラと前記ボールの下端に加圧固定口によってボールの加圧と解けることによって角度調整が可能になるようになる通常のボールヘッドにおいて、前記ボールヘッドのボールの下端にボールガイドをボールと密着するようにして、前記ボールガイドの直下方には軸を形成して、軸をガイド棒によって押して引っ張ることでボールガイドに固定されたボールが、１次的に角度が固定された状態で２次的に角度調整が可能になるようになることを特徴とする前後角度調節が機械的な操作によって微細に調整されるカメラ三角台用のボールヘッド。
【請求項２】
前記ボールガイドにはボールと密着される部分に摩擦リングが形成されることを特徴とする請求項１に記載の前後角度調節が機械的な操作によって微細に調整されるカメラ三角台用のボールヘッド。
【請求項３】
前記ボールガイドにはエア抜きが形成されることを特徴とする請求項１または２に記載の前後角度調節が機械的な操作によって微細に調整されるカメラ三角台用のボールヘッド。
【請求項４】
前記ガイド棒にはスライダーが連結されて、前記スライダーは中間枠の収容部に収容されて、前記スライダーには軸が収容されてスライダーのガイド棒を押して引っ張ることによって前後角度が調整されることを特徴とする請求項１に記載の前後角度調節が機械的な操作によって微細に調整されるカメラ三角台用のボールヘッド。
【請求項５】
前記スライダーを収容する中間枠を２個に形成して前後左右に角度調整を可能にさせることを特徴とする請求項１または４に記載の前後角度調節が機械的な操作によって微細に調整されるカメラ三角台用のボールヘッド。
【請求項６】
前記ボールガイドの直下方には湾曲傾斜面を有するガイドリングが形成されることを特徴とする請求項１に記載の前後角度調節が機械的な操作によって微細に調整されるカメラ三角台用のボールヘッド。
【請求項７】
前記ガイドリングの下端には中間枠を形成して前記中間枠にガイド棒が出入りされることを特徴とする請求項６に記載の前後角度調節が機械的な操作によって微細に調整されるカメラ三角台用のボールヘッド。
【発明の詳細な説明】
【技術分野】
【０００１】
本発明は、カメラまたは各種撮影のための機器の固定のための三角台用ボールヘッドに関するものであり、特にボールヘッドの角度調節が１次に完成された状態で２次、３次で繰り返して微細な角度調節が必要な場合に前後と左右への移動を機械的な操作によって微細に調整が可能であるようにさせたものである。
【背景技術】
【０００２】
現在使用されるボールヘッドは、流動性が良いボールを使って三角台に装着することで、三角台に装着される重量が大きい望遠レンズや各種撮影機器を多様で願う角度に調節可能であるという長所があるものである。
したがって、操作のためにはボールヘッドを固定する加圧を解除して、手で操作によって前後左右の多方向に自由に調節できるようにした後、ボールヘッドを固定するか、または解いてくれるようになる固定取っ手を締めるようにすることで加圧してボールを支えている下部プレートがボールを締めるようにすることで任意的に指定された角度を固定するようにしているものである。
しかし、このようなものの短所は、撮影角度が手を使って１次に調整された状態で、特に、重量が大きい望遠レンズや撮影装備をつけて再び２次または３次で繰り返して微細な前後への移動が要求される場合には再びボールヘッドの固定取っ手を解いてボールに加えられている加圧を解除するようにした後、願う程度のみを手を使って微細に調節しなければならないが、このような場合に望遠レンズや撮影装備の荷重によって正確で願う角度への調整がよほど難しくて、特に、微細調整のためには、これを片手で支えるようになりながら他の手で固定取っ手を回して締めるようにするということが実質的に不可能であるというものである。
【発明の概要】
【発明が解決しようとする課題】
【０００３】
したがって、本発明ではこのような場合に機械的な操作によってボールヘッドが固定された状態でも簡単に２次、３次繰り返して調節角度を微細に調節が可能にさせたものである。
【課題を解決するための手段】
【０００４】
これのためにボールの下端にボールガイドを形成して締めることによって固定するようにした後、前記ボールガイドの直下方にボールガイドと一体に形成された軸を締めることによって前後に調整するようにすることで簡単に解決するようにしたものである。
また、このような前後移動を、スライダーを使用するようにすることで左右移動が同時にできるようにすることで、多機能の角度調節が可能にさせたものである。
【発明の効果】
【０００５】
したがって、１次で角度が調整された状態で再び微細調整を機械的な操作で簡単に調整することができるようになるものであり、また、スライダーを使用する場合には前後はもちろん左右でも調整が可能になるものである。
【図面の簡単な説明】
【０００６】
【図１】本発明の全体的は組み立て構造の断面図である。
【図２】本発明の腰部構成に対する分解斜視図である。
【図３】図２の腰部構成に対する組み立て状態での作動状態図である。
【図４】本発明のスライダーが中間枠に収容された状態図である。
【図５】本発明の一実施例の組立図である。
【発明を実施するための形態】
【０００７】
本発明は、ケース１００に収容されたボール１１０が装着されたボール１１０の下端でボールの流動を開始するか、または停止するようにするための固定取っ手１２０を回して左右に移動されながらボールを圧迫するようになる締り口１３０によって締り固定するようになることにおいて、ボールヘッドのボールの下端にボールガイドをボールと密着するようにして、前記ボールガイドの直下方には軸を形成して軸をガイド棒によって押して引っ張ることでボールガイドに固定されたボールが、１次的に角度が固定された状態で２次的に角度調整が可能になるようになることで、前後角度調節が機械的な操作によって微細に調整されるようにしたものである。
以下、添付図面に基づいて本発明を詳しく説明すれば次のようである。
図１に示されたところのように本発明の構造は、ボール１１０の下端でボール１１０と緊密に密着されることができる形態を有する湾曲されたボールガイド１０を形成して、前記ボールガイドとボールとの固定力を優秀にさせるために前記ボールガイドのわくに摩擦リング１１がボールに密着されることができる程度に突き出されるように形成されて、前記ボールガイド１０の中央直下方では前後角度調整のために押して引っ張る時にしなうことがないように一定な強度を有する直径になる軸１２が突き出されて、前記軸１２が形成されたボールガイド１０にはボールガイドがボールと緊密に密着される湾曲面でなされて、そのわくに摩擦リングが装着されてボールと密着された状態で真空がかかるようになって、ボールの流動が要求される時にボールが流動されなくなる問題点を解決するためのエア抜き孔１３が形成されるものであり、このようなエア抜き孔はボールガイドに形成するか、または軸を貫通して形成することができるものである。
また、前記ボールガイド１０は、ボール１１０をガイドした状態で軸１２の押されることと引っ張ることによる前後移動のために、その下端にはガイドリング２０が形成されるものであり、前記ガイドリング２０の上面の内側面にはボールガイド１０と密着される部分には湾曲傾斜面２１が形成されるものであり、前記下面には平面２２に形成されて、前記ボールガイド１０の軸１２を前後に移動するようにするためのガイド棒３１が前記軸１２に連結されてケース１００を貫通して出入りされるものである。
この時、微細調整のためにガイド棒３１には螺糸山を形成して、前記ガイド棒３１に挟まれて螺糸山にかみ合うように回転体をケースに回転自在に固定されるようにすることで、ケース外部に露出した回転体を回転するようにすれば、かみ合った螺糸山のピッチによってガイド棒が前後に移動されながらボールの前後角度に対する微細調整が可能になるものである。
この時、ガイド棒に螺糸山を形成して、ガイド棒がケースに移動が不可能でありながら回転自在に固定された状態でガイド棒が軸に貫通されるように螺合される場合には、ケースの外部に露出されたガイド棒を回転させれば螺糸山によって軸が前後に移動されながらボールの前後角度調整が可能になるものである。
この時、ガイド棒を使用する場合にはボールヘッドの調整角度が前後のみに可能になって、前後はもちろん左右への微細調整のために前記ガイドリング２０の下端に収容部を有する２個の中間枠３０が形成するようにした後前記中間枠３０にはホール３２や開口溝３２aによってガイド棒３１が出入りされることができるように形成して、前記ガイド棒３１の先端では軸が収容されることができるように空間を有するスライダーを装着して、前記スライダーが中間枠の収容部内でそれぞれ移動するようにすることで、前後はもちろん左右でも角度調整が可能になるものである。
これのために前記ボールガイド１０の軸１２を収容することができるスライダー３５をガイド棒３１と連結するようにした後前記スライダー３５を収容することができる収容部３６を有する中間枠３０を形成して前記ガイド棒３１が中間枠を貫通して、ケースの外部に露出するようにすれば露出したガイド棒がスライダー３５を引っ張るか押してくれることで前記スライダー３５が中間枠３０の収容部３６内で移動するようになりながら前後への微細な角度調節が可能になるものであり、前後はもちろん左右へも角度調節のためには、前記スライダー３５をＸ、Ｙ軸にそれぞれ形成することで、前後はもちろん左右へも微細調整が可能になるようになるものである。
これのために収容部３６、３６aを有する中間枠３０、３０aの２個をお互いにスライダー３５、３５aが収容された収容部３６、３６aがお互いに見合わせるように密着するようにした後前記収容部に収容されたスライダーをお互いに直交する方向にガイド棒を突き出るようにすることで前後への調整はもちろん左右への調整も可能になるものである。
この時、スライダーが中間枠の収容部に緊密に密着されなければならないことで、軸の直径とスライダーの空間が一致しなくなる場合には、前記スライダーを軸とほとんど一致する形態で具備するようにするか、または前記スライダーが中間枠の収容部内側と密着された状態で軸を収容することができる空間を具備するようにすることで正確な前後はもちろん左右への角度調節が可能になるものである。
これのためにスライダーの内部に挟まれて固定される連結口を装着するようになるものであり、このような連結口は別に組立てられるか、または一体型で具備するようにできるものである。
この時にも微細調整のためにガイド棒３１には螺糸山を形成して、前記ガイド棒３１に挟まれて螺糸山にかみ合うように回転体をケースに回転自在に固定されるようにすることで、ケース外部に露出した回転体を回転するようにすればかみ合った螺糸山のピッチによってガイド棒が前後に移動されながらボールの前後角度に対する微細調整が可能になるものである。
また、ガイド棒に螺糸山を形成して、ガイド棒がケースに移動が不可能で回転自在に固定された状態でガイド棒がスライダーに貫通されながら前後に移動されるように螺合される場合にはケースの外部に露出したガイド棒を回転させれば螺糸山によってスライダーが前後に移動されながらボールの前後角度調整が可能になるものである。
したがって、螺糸山のピッチによって微細調整が可能になるものである。
【産業上の利用可能性】
【０００８】
本発明は、カメラまたは各種撮影のための機器の固定のための三角台用ボールヘッドに関するものであり、特に、ボールヘッドの角度調節が１次に完成された状態で２次、３次で繰り返して微細な角度調節が必要な場合に前後と左右への移動を機械的な操作によって微細に調整ができることで従来の微細調整が難しかったという短所を補う技術を提供することができる。
【符号の説明】
【０００９】
１０  ボールガイド
１１  摩擦リング
１２  軸
１３  エア抜きホール
２０  ガイドリング
２１  湾曲傾斜面
２２  平面
３０  中間枠
３１  ガイド棒
３２  ホール
３３  螺糸山
３４  締り口
３５  スライダー
３６  収容部
【図１】
2012502312.tif 000003
【図２】
2012502312.tif 000004
【図３】
2012502312.tif 000005
【図４】
2012502312.tif 000006
【図５】
2012502312.tif 000007
【手続補正書】
【提出日】平成23年5月2日(2011.5.2)
【手続補正１】
【補正対象書類名】特許請求の範囲
【補正対象項目名】請求項５
【補正方法】変更
【補正の内容】
【請求項５】
前記スライダーを収容する中間枠を２個に形成して前後左右に角度調整を可能にさせることを特徴とする請求項４に記載の前後角度調節が機械的な操作によって微細に調整されるカメラ三角台用のボールヘッド。
【手続補正２】
【補正対象書類名】図面
【補正対象項目名】全図
【補正方法】変更
【補正の内容】
【図１】
2012502312.tif 000008
【図２】
2012502312.tif 000009
【図３】
2012502312.tif 000010
【図４】
2012502312.tif 000011
【図５】
2012502312.tif 000012
【国際調査報告】
2012502312.tif 000013
2012502312.tif 000014
2012502312.tif 000015
2012502312.tif 000016